(57)【要約】【課題】容器から内容物が漏れ出ることを防止する内蓋を構成するとともに、容易に容器を開封できる。【解決手段】内部に内容物Ｂを収容する容器本体２の開口部Ａを覆うキャップ３に嵌め込まれてその開口部Ａを塞ぐ内蓋として構成されたパッキン４において、キャップ３に嵌め込まれる環状部４１と、環状部４１の内周側に配置された破断容易部４２とを備えた板状の平板部により構成され、平板部は、発泡ポリエチレン製であり、厚さが１．０〜４．０ｍｍに構成され、破断容易部４２は、平板部を厚さ方向に貫通する切り込みにより形成されたカット部４２ａと、カット部４２ａにより区画された開口片４２ｂと、開口片４２ｂと環状部４１とを繋ぐブリッジ部４２ｃとを備えている。【選択図】図１
2015193393.tif 000002
【特許請求の範囲】
【請求項１】
開口部が設けられ、かつ内部に内容物を収容する容器本体と、前記容器本体に取り付けられて前記開口部を覆うキャップとを備えた容器の内蓋を構成し、前記容器本体と前記キャップとのうちいずれか一方に嵌め込まれて前記開口部を塞ぐように構成されたパッキンにおいて、
前記容器本体もしくは前記キャップに嵌め込まれる環状部と、前記環状部の内周側に配置された破断容易部とを備えた板状の平板部により構成され、
前記平板部は、発泡樹脂製であり、厚さが１．０〜４．０ｍｍに構成され、
前記破断容易部は、
前記平板部に所定形状で形成され、かつ厚さ方向に貫通する切り込みにより形成されたカット部と、
前記カット部により区画され、かつ前記カット部の内側で平板部の所定範囲に形成された開口片と、
前記カット部の端部の間に形成され、かつ前記開口片と前記環状部とを繋ぐブリッジ部とを備え、
前記平板部のうち前記開口片のみが厚さ方向に押し込まれることにより、前記カット部の形状に沿って前記開口片が前記環状部に対して破断し、かつ前記開口片は前記ブリッジ部を介して前記環状部と繋がった状態で当該環状部に対して傾斜するとともに、前記平板部には前記カット部の形状に沿った貫通孔が形成されるように構成されていることを特徴とするパッキン。
【請求項２】
前記ブリッジ部の幅は、０．１〜１０ｍｍであることを特徴とする請求項１に記載のパッキン。
【請求項３】
前記内容物は、粉末体であり、
前記平板部の外周縁は、前記キャップの内面に嵌め込まれており、
前記環状部の表面は、前記容器本体の開口端に接触していることを特徴とする請求項１または２に記載のパッキン。
【発明の詳細な説明】
【技術分野】
【０００１】
この発明は、容器の開口部を塞ぐ内蓋を構成するパッキンに関する。
【背景技術】
【０００２】
従来、内容物を充填された製品状態の容器が消費者の手に渡るまでの流通過程において、未開封の容器内から内容物が漏れ出ないようにするための構成が内容物の種類に応じて種々開発されている。
【０００３】
例えば、中空容器構造の天面に開口部が設けられている場合には、容器に取り付けたキャップや外蓋などで容器の開口部を塞ぎ、内容物が容器外に出ない閉口状態となるように構成される。そして、内容物を容器外に出す際には、キャップや外蓋を容器から取り外すなどして容器の開口部を露出させることにより開口状態の容器とすることができる。特に、未開封の容器であることが視覚的に確認可能な構造として、開封時にキャップや外蓋の一部が分離する構造などが知られている。また、内容物の用途に応じて繰り返し開閉する必要がある容器では、ヒンジ構造を採用してキャップや外蓋などを容器に繋げた状態を維持させる構造などが知られている。
【０００４】
特許文献１には、プルトップ用のつまみ片が設けられた紙製天蓋を備えた容器が開示さている。引用文献１の紙製天蓋は、可動部である開閉用蓋部と固定部である外周縁部とがヒンジ形成用部を介して接続されており、開閉用蓋部につまみ片が一体化されている。したがって、外周縁部に開閉用蓋部が嵌まり込むことにより紙製天蓋は閉口状態となり、その閉口状態からつまみ片が引き上げられることによりヒンジ形成用部を支点に開閉用蓋部が外周縁部から抜け出て開口状態になる。また、開閉いずれの状態においても開閉用蓋部がヒンジ形成用部を介して外周リングに接続されているため、容器を繰り返し閉開させることができる。
【０００５】
また、特許文献２には、カップ状のアイスクリーム容器に嵌合される蓋が開示されている。蓋にはミシン目により形成された穴あけ可能な部分が設けられており、蓋の裏面に穴あけ可能な部分を包囲する内蓋が取り付けられている。
【先行技術文献】
【特許文献】
【０００６】
【特許文献１】特開２００１−２４７１４７号公報
【特許文献２】特開昭６１−９０７４１号公報
【発明の概要】
【発明が解決しようとする課題】
【０００７】
ところで、内容物を粉末状洗剤などの粉末体とする場合、天面に開口部が設けられたカップ状容器において開口端にフィルムなどのシート状部材を貼り付けた紙製の粉末用容器や、容器の開口部を覆うようにキャップを装着させた樹脂製の粉末用容器が知られている。
【０００８】
特に、樹脂製の粉末用容器では、輸送中に粉末が外部に漏れないように、シート状部材を内蓋として容器の開口部に貼り付けて開口部を封止させ、その上からキャップを容器に嵌め込んだ未開封状態で流通させることが行われている。その場合、輸送中はシート状部材により容器内部が密封されているので、粉末が容器外へ漏れ出ることを防止できる。そして、使用時には、シート状部材が開口部から剥がされて容器が開封する。
【０００９】
しかしながら、内蓋としてシート状部材を開口端に接着させた場合、未開封時に内容物である粉末体の荷重を受けてシート状部材が開口端から剥がれないようするための大きな接着力が必要である。さらに、粉末体の荷重を受けても変形しないような剛性も必要となる。そのため、開封時には、大きな力でシート状部材を引き剥がさなければならず、容易に開封できない場合や、その際に紙製の粉末用容器が変形する場合がある。さらに、シート状部材により容器内が密封されるので、ガスを発生させる内容物を収容する容器には不向きとなる。
【００１０】
この発明は上記の事情を背景としてなされたものであり、未開封状態の容器から内容物が漏れ出ることを防止するとともに、容易に容器を開封できるように構成された内蓋としてのパッキンを提供することを目的とするものである。
【課題を解決するための手段】
【００１１】
上記の目的を達成するために、請求項１に係る発明は、開口部が設けられ、かつ内部に内容物を収容する容器本体と、前記容器本体に取り付けられて前記開口部を覆うキャップとを備えた容器の内蓋を構成し、前記容器本体と前記キャップとのうちいずれか一方に嵌め込まれて前記開口部を塞ぐように構成されたパッキンにおいて、前記容器本体もしくは前記キャップに嵌め込まれる環状部と、前記環状部の内周側に配置された破断容易部とを備えた板状の平板部により構成され、前記平板部は、発泡樹脂製であり、厚さが１．０〜４．０ｍｍに構成され、前記破断容易部は、前記平板部に所定形状で形成され、かつ厚さ方向に貫通する切り込みにより形成されたカット部と、前記カット部により区画され、かつ前記カット部の内側で平板部の所定範囲に形成された開口片と、前記カット部の端部の間に形成され、かつ前記開口片と前記環状部とを繋ぐブリッジ部とを備え、前記平板部のうち前記開口片のみが厚さ方向に押し込まれることにより、前記カット部の形状に沿って前記開口片が前記環状部に対して破断し、かつ前記開口片は前記ブリッジ部を介して前記環状部と繋がった状態で当該環状部に対して傾斜するとともに、前記平板部には前記カット部の形状に沿った貫通孔が形成されるように構成されていることを特徴とするものである。
【００１２】
請求項２に係る発明は、請求項１の発明において、前記ブリッジ部の幅は、０．１〜１０ｍｍであることを特徴とするパッキンである。
【００１３】
請求項３に係る発明は、請求項１または２の発明において、前記内容物は、粉末体であり、前記平板部の外周縁は、前記キャップの内面に嵌め込まれており、前記環状部の表面は、前記容器本体の開口端に接触していることを特徴とするパッキンである。
【発明の効果】
【００１４】
請求項１の発明によれば、発泡樹脂製のパッキンが厚さ１ｍｍ以上に形成されていることにより、内容物の荷重がパッキンに作用しても、パッキンは内蓋として機能することが可能な剛性を有することができる。さらに、発泡ポリエチレンの切断面は平滑ではなく発泡部分と樹脂部分とで凹凸断面に形成されるため、厚さ１ｍｍ以上の発泡ポリエチレンに対して表面から裏面に貫通する切れ目を入れたカット部とした場合には、カット部内の抵抗が大きくなり、内容物がカット部を通過してパッキンよりも外部に漏れ出すことを防止できる。例えば、内容物が粉末状である場合には、粉末とカット部の断面との間の抵抗が大きくなり、粉末がカット部を通過できない。さらに、パッキンの厚さを４．０ｍｍ以下にすることにより、開口片と環状部との間で生じる摩擦力を抑えることができ、もしくは破断容易部のブリッジ部を容易に破断することができ、開口片を押し込む際に必要な力を抑えることができる。そのため、開口片を容易に可動させることができ、容易にパッキンの開口部を形成させることができる。
【００１５】
請求項２の発明によれば、ブリッジ部の幅を０．１〜１０ｍｍに形成することにより、開口片を押し込む際に必要な力を小さくでき、かつパッキンが未開封の容器における内蓋として好適な剛性を有することができる。
【００１６】
請求項３の発明によれば、粉末状の内容物がカット部を通過することを防止できる。そのため、未開封の粉末用容器において、環状部が容器開口端に接するパッキンが設けられていることにより、容器本体の開口部外に粉末体が飛び出すことを防止できる。
【図面の簡単な説明】
【００１７】
【図１】この発明の一例におけるパッキンを示し、容器キャップに取り付けられた未開口状態のパッキンを示した断面図である。
【図２】図１に示すパッキンの斜視図である。
【図３】容器キャップに取り付けられたパッキンの開口状態の一例を示した説明図である。
【図４】他の例におけるパッキンを示し、（ａ）はカット部およびブリッジ部がそれぞれ三箇所に設けられたパッキンを示し、（ｂ）はカット部およびブリッジ部がそれぞれ一箇所に設けられたパッキンを示した斜視図である。
【発明を実施するための形態】
【００１８】
以下、この発明の一例におけるパッキンについて説明する。図１には、この具体例におけるパッキンを内蓋として備えた容器の断面図を示してある。容器１は、中空容器構造に形成され、天面に開口部Ａが設けられた容器本体２を主体に構成されている。容器本体２の内部に、粉末洗剤など粉末状の内容物Ｂが収容される。容器本体２は、天面に開口部Ａが形成された円筒状の首部２１を備え、その首部２１に取り付けられたキャップ３により開口部Ａが覆われている。
【００１９】
図１に示すキャップ３は、円形状の天板部３１と、天板部３１から垂下するスカート部３２とを備えている。すなわち、キャップ３は有底円筒形状に形成されている。スカート部３２が容器本体２の首部２１に取り付けられる。例えば、キャップ３はスクリューキャップであって、スカート部３２の内周面に設けられたねじ部３２ａと、首部２１の外周面に設けられたねじ部２１ａとが噛み合うように構成されている。
【００２０】
なお、スカート部３２は、相対的に異なる径に形成された小径部と大径部とを含んでもよい。さらに、キャップ３は、天板部３１に吐出口が設けられた吐出口付きキャップであって、天板部３１にヒンジを介して一体化された板状の開閉部が設けられてもよい。例えば、開閉部により吐出口が覆われるキャップ３における開口状態と、その吐出口が開閉部に覆われず露出する状態すなわちキャップ３における開口状態とにすることができるように構成されている。
【００２１】
また、容器１は、容器本体２の開口部Ａを閉塞する内蓋として平板状に形成されたパッキン４を備えている。パッキン４は、所定厚さの板状に形成され、外周部４ａがキャップ３のスカート部３２の内周面に嵌め込まれている。図１に示すキャップ３が容器本体２に取り付けられた状態では、キャップ３に嵌め込まれたパッキン４は下面が首部２１の開口端に接するように配置される。
【００２２】
また、キャップ３のスカート部３２の内周面には、パッキン４の外周縁４ａが嵌合されて上下方向でパッキン４を係止する環状突部３２ｂが設けられている。環状突部３２ｂは、ねじ部３２ａよりも天板部３１側に配置され、パッキン４の板厚に対応する間隔に上下方向で二箇所に設けられている。パッキン４は、発泡ポリエチレン製の成形品である。パッキン４の材料として用いられる発泡樹脂としては、ポリエチレンの他、ポリプロピレン、ポリスチレン、合成ゴムなどを適宜採用できる。例えば、発泡ポリエチレンを用いる場合には、発泡倍率は２〜１０倍が好適である。また、容器本体２およびキャップ３は、樹脂製である。
【００２３】
図２に示すように、パッキン４は、円形状の平板部材であって、外周縁４ａを形成する環状部４１と、径方向で環状部４１の内側に設けられた破断容易部４２とにより構成されている。すなわち、破断容易部４２は円形平板部の中央を含むように所定範囲で形成され、破断容易部４２の外周側に環状に配置された環状部４１が平板部の外周部分を形成している。
【００２４】
具体的には、破断容易部４２は、厚さ方向に貫通する切れ目であって円形状に配置されたカット部４２ａと、平板部の中央に配置されてカット部４２ａにより区画された所定領域の開口片４２ｂと、開口片４２ｂと環状部４１とを接続するブリッジ部４２ｃとにより形成されている。
【００２５】
図２に示す破断容易部４２では、略円周形状となるように四箇所に配置されたカット部４２ａを備え、カット部４２ａ同士間の四箇所にブリッジ部４２ｃが配置されている。すなわち、四つのカット部４２ａと四つのブリッジ部４２ｃとが、同一円周上で交互に配置されて、そのカット部４２ａおよびブリッジ部４２ｃに囲まれた円形領域が開口片４２ｂを形成している。さらに言い換えれば、カット部４２ａが形成された所定円周上において、カット部４２ａが形成されていない部分がブリッジ部４２ｃを構成する。
【００２６】
カット部４２ａは、抜き刃（トムソン刃）により形成された厚さ方向に貫通する切れ目である。さらに、カット部４２ａの端部同士の間隔が、ブリッジ部４２ｃの幅Ｗとなる。例えば、パッキン４は、厚さが１．０〜４．０ｍｍ、発泡倍率が体積で２〜１０倍、ブリッジ部４２ｃの幅Ｗが０．１〜１０ｍｍに構成される。ブリッジ部４２ｃの幅Ｗは、より好ましくは０．５〜５．０ｍｍに構成される。図１に示す例では、パッキン４は、厚さが２．５ｍｍ、発泡倍率が２．５倍、ブリッジ部４２ｃの幅Ｗが１．０ｍｍ、破断容易部４２の直径が２６ｍｍに形成されている。
【００２７】
ここで、パッキン４の閉口状態と開口状態とについて説明する。図１および図２に示すパッキン４は閉口状態であり、図３に示すパッキン４が開口状態である。例えば、キャップ３を容器本体２から取り外し、キャップ３に嵌合するパッキン４のうち破断容易部４２の開口片４２ｂのみを指などにより厚さ方向に押し込むことにより、パッキン４における開口部Ｃが形成される。つまり、パッキン４の表面のうち開口片４２ｂの表面であって容器本体２の開口部Ａに対向する側の表面を押圧する。図３に示すパッキン４は、開口部Ｃが形成された状態であり、いずれかのブリッジ部４２ｃが破断し、かつ少なくとも一つのブリッジ部４２ｃが破断せずに円板状の開口片４２ｂを環状部４１に繋げた状態に維持される。そして、図３に示すパッキン３の開口部Ｃに指を差し込んで環状部４１に指を引っ掛けてキャップ３の開口端側にパッキン４を引き上げることによりパッキン４をキャップ３から取り外すことができるように構成されている。
【００２８】
以上説明した通り、この具体例のパッキンによれば、容器の内蓋を構成するパッキンをキャップから容易に取り外すことができる。また、キャップに取り付けられたパッキンは、容器の開口部を塞いだ状態で変形しない剛性を有するとともに、破断容易部のみを押圧することにより少なくとも一つのブリッジ部を残して開口片外周部の一部を環状部から破断させることができる。つまり、容器が未開封状態では、内蓋であるパッキンによって内容物、特に粉末状の内容物が容器外に漏れ出ることを防止できる。
【００２９】
また、パッキンは、カット部が厚さ方向に貫通する切れ目により形成されているものの、発泡ポリエチレン製でありかつ所定の厚さに形成されているので、内容物の粉末がカット部を通過しないように構成されている。一方で、そのカット部は気体を通過させることが可能であるため、ガスを発生させる粉末、例えば酵素を含有する粉末、漂白剤、漂白成分を含んだ粉末洗剤などを内容物とする粉末洗剤用容器の内蓋としてパッキンを好適に採用することができる。
【００３０】
なお、この発明に係るパッキンは、前述した具体例に限定されず、この発明の目的を逸脱しない範囲で適宜変更が可能である。
【００３１】
例えば、パッキンに設けられた破断容易部について、カット部およびブリッジ部の個数や形状は、前述した具体例に限定されない。一例として、前述した具体例では、カット部の形状が円形状に形成されていたが、これに限定されず、楕円形状や、多角形状などに形成されてよい。要は、指を差し込める貫通孔を形成することができればよく、カット部の形状は任意である。
【００３２】
また、パッキンは、ブリッジ部の幅が大きいほど強度（剛性）が増大し、その幅が同じ場合にはブリッジ部の個数が増えるほど強度（剛性）が増大する。ところが、ブリッジ部の強度が増大することにより、破断の際に必要な力も増大する。そのため、単にブリッジ部の強度を増してパッキンの剛性を高めればよいわけではなく、採用する発泡ポリエチレンの強度（発泡倍率）やパッキンの厚みなど、パッキンの全体構成を考慮して、ブリッジ部の幅や個数を適宜調整することが可能である。
【００３３】
そこで、前述した具体例とはカット部およびブリッジ部の数を変更した変形例を図４に示してある。なお、この説明では、前述した具体例と同様の構成については説明を省略しその符号を引用する。
【００３４】
図４（ａ）に示すように、パッキン４の破断容易部４２において、カット部４２ａおよびブリッジ部４２ｃがそれぞれ三箇所に設けられている。図４（ａ）に示すブリッジ部４２ｃの幅Ｗは、１．５ｍｍに形成されている。また、図４（ｂ）に示すように、パッキン４の破断容易部４２において、カット部４２ａおよびブリッジ部４２ｃがそれぞれ一箇所に設けられている。すなわち、略円環状に形成されたカット部４２ａは、その形状が一箇所のみブリッジ部４２ｃによって欠けている。また、図４（ｂ）に示すブリッジ部４２ｃの幅Ｗは５ｍｍに形成されている。図４（ｂ）に示すブリッジ部４２ｃは、破断するための構成ではなく、開口片４２ｂが押し込まれた際に、開口片４２ｂを環状部４１に繋ぎ止めるヒンジの役割を果たし貫通孔を形成する。そのように、ブリッジ部４２ｃが一箇所のみ設けられた場合であっても、パッキン４の厚さと発泡ポリエチレンの特性により、内容物の粉末が容器外部に漏れ出ることを防止できる。
【符号の説明】
【００３５】
１…容器、  ２…容器本体、  ３…キャップ、  ４…パッキン、  ４ａ…外周縁、  ２１…首部、  ３１…天板部、  ３２…スカート部、  ４１…環状部、  ４２…破断容易部、  ４２ａ…カット部、  ４２ｂ…開口片、  ４２ｃ…ブリッジ部、  Ａ，Ｃ…開口部、  Ｂ…内容物。
【図１】
2015193393.tif 000003
【図２】
2015193393.tif 000004
【図３】
2015193393.tif 000005
【図４】
2015193393.tif 000006